(57)【要約】【課題】化学物質等の吸着作用や遠赤外線、マイナスイオン放出作用等に優れた敷物を提供する。【解決手段】化学繊維よりなる敷物１において、吸着性を有する炭化物を含有する繊維を一部又は全部に使用したことを特徴とする。このような構成とすることで、敷物１に炭化物がもつ化学物質との吸着作用や遠赤外線放射及びマイナスイオン放出機能を与えることができる。【選択図】　　　　図１
2004016513.tif 000002
【特許請求の範囲】
【請求項１】
化学繊維よりなる敷物において、吸着性を有する炭化物を含有する繊維を一部又は全部に使用したことを特徴とする敷物。
【請求項２】
化学繊維よりなる基布にパイルを打ち込んで裏面をバッキング材で固着してなる敷物において、パイルの一部又は全部を吸着性を有する炭化物を含有する繊維としたことを特徴とする敷物。
【請求項３】
化学繊維よりなる基布にパイルを打ち込んで、化学繊維よりなる裏面材をバッキング材で固着して一体化せしめた敷物において、裏面材の一部又は全部を吸着性を有する炭化物を含有する繊維としたことを特徴とする敷物。
【請求項４】
化学繊維よりなる基布にパイルを打ち込んで、裏面をバッキング材で固着してなる敷物において、基布の一部又は全部を吸着性を有する炭化物を含有する繊維としたことを特徴とする敷物。
【請求項５】
吸着性を有する炭化物を含有する繊維がレーヨンであることを特徴とする請求項１乃至請求項４のいずれかに記載の敷物。
【請求項６】
化学繊維よりなる基布にパイルを打ち込んで、裏面をバッキング材で固着してなる敷物において、バッキング材に吸着性を有する炭化物を含有したことを特徴とする敷物。
【発明の詳細な説明】
【０００１】
【発明の属する技術分野】
本発明は、化学繊維よりなる敷物に関するものである。
【０００２】
【従来の技術】
敷物は平織りの合成繊維よりなるものや、パイル状のものなどがあり、広く一般家庭で使用されている。
【０００３】
ところで、敷物に臭いが付着したりすると、敷物に対する快適性、健康性のニーズを満たすことができないという問題があった。
【０００４】
一方、近年、木炭のような炭化物は消臭効果、マイナスイオン発生効果、遠赤外線発生効果などといった効果があることがわかってきたが、この木炭のような炭化物を敷物に有効に活用したものは従来提供されていなかった。
【０００５】
【発明が解決しようとする課題】
本発明は上記の点に鑑みてなされたものであり、化学物質等の吸着作用や遠赤外線、マイナスイオン放出作用等に優れた敷物を提供することを課題とするものである。
【０００６】
【課題を解決するための手段】
上記課題を解決するために本発明に係る敷物は、化学繊維よりなる敷物１において、吸着性を有する炭化物を含有する繊維を一部又は全部に使用したことを特徴とするものである。このような構成とすることで、敷物１に炭化物がもつ化学物質との吸着作用や遠赤外線放射及びマイナスイオン放出機能を与えることができるものである。
【０００７】
また、化学繊維よりなる基布２にパイル３を打ち込んで裏面をバッキング材４で固着してなる敷物１において、パイル３の一部又は全部を吸着性を有する炭化物を含有する繊維としたことを特徴とするものであってもよい。このようにパイル３の一部又は全部を吸着性を有する炭化物を含有する繊維とすることで、パイル３を備えた敷物１に、炭化物がもつ化学物質の吸着作用や遠赤外線放射及びマイナスイオン放出機能を与えることができるものである。
【０００８】
また、化学繊維よりなる基布２にパイル３を打ち込んで、化学繊維よりなる裏面材５をバッキング材４で固着して一体化せしめた敷物１において、裏面材５の一部又は全部を吸着性を有する炭化物を含有する繊維としたことを特徴とするものであってもよい。このような構成とすることで、裏面材５の一部又は全部を吸着性を有する炭化物を含有する繊維とすることで、パイル３を備えた敷物１に、炭化物がもつ化学物質の吸着作用や遠赤外線放射及びマイナスイオン放出機能を与えることができるものである。
【０００９】
また、化学繊維よりなる基布２にパイル３を打ち込んで、裏面をバッキング材４で固着してなる敷物において、基布２の一部又は全部を吸着性を有する炭化物を含有する繊維としたことを特徴とするものであってもよい。このような構成とすることで、基布２の一部又は全部を吸着性を有する炭化物を含有する繊維とすることで、パイル３を備えた敷物１に、炭化物がもつ化学物質の吸着作用や遠赤外線放射及びマイナスイオン放出機能を与えることができるものである。
【００１０】
また、吸着性を有する炭化物を含有する繊維がレーヨンであることが好ましい。このような構成とすることで、レーヨン繊維は形状的特徴から表面積が非常に大きいため、炭化物の表面への露出を多くすることができ、炭化物がもつ化学物質の吸着作用や遠赤外線放射及びマイナスイオン放出機能をより高めることができるものである。
【００１１】
また、化学繊維よりなる基布２にパイル３を打ち込んで、裏面をバッキング材４で固着してなる敷物１において、バッキング材４に吸着性を有する炭化物を含有したものであることが好ましい。このような構成とすることで、バッキング材４として吸着性を有する炭化物を含有したものを用いることで、炭化物がもつ化学物質の吸着作用や遠赤外線放射及びマイナスイオン放出機能をより高めることができるものである。
【００１２】
【発明の実施の形態】
以下、本発明を以下実施例に基づいて説明する。
［実施例１］
本実施例の敷物１は図１に示すように平織り布６よりなる表面材と裏面材５とを接着剤７により一体化して構成したものである。
【００１３】
平織り布６は図２に示すようにポリエステル系繊維よりなる縦糸８と、図３に示す炭化物である木炭微粉末９を含有する繊維１０（ポリエステル系繊維）よりなる横糸１１を交互に織り重ねたものである。
【００１４】
裏面材５は厚さ約５ｍｍのポリウレタンフォームであり、ウレタン系の接着剤７で平織り布６と貼り合わせてある。
［実施例２］
本実施例では図４に示すように、ポリプロピレン製織布よりなる基布２に、アクリル系繊維を主体としたスパン撚糸よりなるパイル３を打ち込み、ＳＢＲ系のバッキング材４によりパイル３を固着させてある。
【００１５】
パイル３としては実施例１の木炭微粉末９を含有する繊維１０（ポリエステル系繊維）を重量比率で約２０％の割合でアクリル繊維と混綿せしめたものを使用している。
［実施例３］
本実施例では図５に示すように、ポリプロピレン系繊維を主体とする織布よりなる基布２に、実施例２で使用したアクリル系繊維を主体としたスパン撚糸よりなるパイル３を打ち込み、ＳＢＲ系のバッキング材４によりパイル３を固着させると共に、裏面にポリエステル系ニードルパンチフェルトよりなる裏面材５を上記バッキング材４により一体化したものである。
【００１６】
基布２としては実施例１の木炭微粉末９を含有する繊維１０（ポリエステル系繊維）を重量比率で約２０％の割合でポリプロピレン繊維と混紡せしめたものを使用している。
【００１７】
バッキング材４は重量比率で約５％の木炭微粉末９が混ぜ込んである。
【００１８】
裏面材５に使用したニードルパンチ不織布は一般的なポリエステル系繊維を主体としたものであるが、木炭微粉末９を含有する繊維１０（ポリエステル系繊維）を重量比率で約２０％混綿させてある。
【００１９】
繊維１０中の木炭微粉末９の含有量は重量比率で約２０％とし、繊維１０の繊度は５〜１０ｄｔ（デシテックス）のものを用いている。
【００２０】
ここで、木炭微粉末９を含有した繊維１０のポリエステル系繊維全体に対する混綿比率や繊維１０中の木炭微粉末９の含有量及び繊度は特に限定されるものではないが、細い繊維を多量に使用した方が表面積を多く稼げるため木炭微粉末９を繊維１表面に多く露出させることができるものである。
【００２１】
上記した実施例１〜実施例３のようにすることで、繊維表面に露出した木炭微粉末９による化学物質の吸着による部屋の消臭効果や、マイナスイオン発生による効果や、遠赤外線放射による保温効果を得ることができるものである。
【００２２】
また、上記した実施例１〜実施例３において、木炭微粉末９を含有する繊維１０（ポリエステル系繊維）の代わりに、図６に示すように、木炭微粉末９を含有する多孔質状繊維１２（ポリエステル系繊維）を重量比率で約１０％混綿させたものを使用してもよい。
【００２３】
この場合、多孔質状繊維１２において繊維に対する木炭微粉末９の含有量は例えば重量比率で約２０％とする。また、多孔質状繊維１２の繊度は例えば５〜１５ｄｔ（デシテックス）のものを用いる。
【００２４】
多孔質状繊維１２は多孔質状に形成されているので、繊維の表面積を稼ぐことができ、木炭微粉末９を繊維表面に多く露出させることができるものである。
【００２５】
なお、多孔質状繊維１２は上記のポリエステル系繊維に限定されるものではなく、ポリアクリロニトリル系やポリアミド系及びポリプロピレン系、セルロース系等の化学繊維から必要に応じて任意に選定することができる。
【００２６】
また、ポリエステル系繊維と多孔質状繊維１２の混綿比率も特に限定されるものではなく、経済性を鑑みて任意に設定可能である。
【００２７】
更に、実施例１〜３において木炭微粉末９を含有する繊維１０（ポリエステル系繊維）の代わりに、図７に示すように木炭微粉末９を含有するセルロース系繊維１３（レーヨン繊維）を用いることにより、その形状的特徴から表面積が非常に大きいため、木炭微粉末９の含有率が少なくても木炭微粉末９がより効果的に表面に露出するため、特に高い効果を期待することできるものである。
【００２８】
また、これらの敷物１を電気カーペット上で使用すると電気カーペットから発生する熱により遠赤外線放射が更に増えるため保温効果がより効果的となるものである。
【００２９】
上記実施例では平織り布６やパイル３や基布２などの表面材、バッキング材４、裏面材５のいずれかに炭化物である木炭微粉末９を含有している各例を示しているが、平織り布６やパイル３や基布２などの表面材、バッキング材４、裏面材５のいずれか、あるいは２部材以上、あるいは全部に炭化物である木炭微粉末９を含有したものであってもよい。また、表面材、裏面材５を全て木炭微粉末９を含有した繊維で形成してもよいものである。
【００３０】
【発明の効果】
上記のように本発明の請求項１記載の発明にあっては、化学繊維よりなる敷物において、吸着性を有する炭化物を含有する繊維を一部又は全部に使用したので、敷物に炭化物がもつ化学物質との吸着作用を与えることができて、室内の臭いを消臭したり、化学物質を吸着でき、更に、遠赤外線放射及びマイナスイオン放出機能を与えることができ、健康、快適性に優れた敷物を提供できるものである。
【００３１】
また、請求項２記載の発明にあっては、化学繊維よりなる基布にパイルを打ち込んで裏面をバッキング材で固着してなる敷物において、パイルの一部又は全部を吸着性を有する炭化物を含有する繊維としたので、パイルの一部又は全部を吸着性を有する炭化物を含有する繊維とするという簡単な構成で、敷物に炭化物がもつ化学物質との吸着作用を与えることができて、室内の臭いを消臭したり、化学物質を吸着でき、更に、遠赤外線放射及びマイナスイオン放出機能を与えることができ、健康、快適性に優れた敷物を提供できるものである。
【００３２】
また、請求項３記載の発明にあっては、化学繊維よりなる基布にパイルを打ち込んで、化学繊維よりなる裏面材をバッキング材で固着して一体化せしめた敷物において、裏面材の一部又は全部を吸着性を有する炭化物を含有する繊維としたので、裏面材の一部又は全部を吸着性を有する炭化物を含有する繊維とするという簡単な構成で、敷物に炭化物がもつ化学物質との吸着作用を与えることができて、室内の臭いを消臭したり、化学物質を吸着でき、更に、遠赤外線放射及びマイナスイオン放出機能を与えることができ、健康、快適性に優れた敷物を提供できるものである。
【００３３】
また、請求項４記載の発明にあっては、化学繊維よりなる基布にパイルを打ち込んで、裏面をバッキング材で固着してなる敷物において、基布の一部又は全部を吸着性を有する炭化物を含有する繊維としたので、基布の一部又は全部を吸着性を有する炭化物を含有する繊維とするという簡単な構成で、敷物に炭化物がもつ化学物質との吸着作用を与えることができて、室内の臭いを消臭したり、化学物質を吸着でき、更に、遠赤外線放射及びマイナスイオン放出機能を与えることができ、健康、快適性に優れた敷物を提供できるものである。
【００３４】
また、請求項５記載の発明にあっては、上記請求項１乃至請求項４のいずれかに記載の発明の効果に加えて、吸着性を有する炭化物を含有する繊維がレーヨンであるので、レーヨン繊維は形状的特徴から表面積が非常に大きいため、炭化物の表面への露出を多くすることができ、炭化物がもつ化学物質の吸着作用や遠赤外線放射及びマイナスイオン放出機能をよりいっそう高めることができるものである。
【００３５】
また、請求項６記載の発明にあっては、化学繊維よりなる基布にパイルを打ち込んで、裏面をバッキング材で固着してなる敷物において、バッキング材に吸着性を有する炭化物を含有したので、バッキング材に吸着性を有する炭化物を含有させるという簡単な構成で、敷物に炭化物がもつ化学物質との吸着作用を与えることができて、室内の臭いを消臭したり、化学物質を吸着でき、更に、遠赤外線放射及びマイナスイオン放出機能を与えることができ、健康、快適性に優れた敷物を提供できるものである。
【図面の簡単な説明】
【図１】本発明の敷物の断面図である。
【図２】同上の平織りを説明する平面図である。
【図３】同上の炭化物を含有した繊維を示す概略説明図である。
【図４】本発明の敷物の他例の断面図である。
【図５】本発明の敷物の更に他例の断面図である。
【図６】同上の炭化物を含有した多孔質状繊維の概略説明図である。
【図７】同上の炭化物を含有したセルロース系繊維の概略説明図である。
【符号の説明】
１　敷物
２　基布
３　パイル
４　バッキング材
５　裏面材
【図１】
2004016513.tif 000003
【図２】
2004016513.tif 000004
【図３】
2004016513.tif 000005
【図４】
2004016513.tif 000006
【図５】
2004016513.tif 000007
【図６】
2004016513.tif 000008
【図７】
2004016513.tif 000009